(57)【要約】      （修正有）【課題】バリエーションに富んだ使い方ができ、さらに付加価値を高めた掲示物収納袋を提供する。【解決手段】透明なシート２の表面に複数の透明なポケット部３を設けるとともに、透明なシートの表面又は裏面に複数の透明なポケット部のうちの一部のポケット部の正面側から視認できる印刷面を設ける。透明なシートの裏面に仕切シートを設けた場合には、仕切シートの表面に印刷面を設けても良い。【選択図】図１
0003185145.tif 000002
【実用新案登録請求の範囲】
【請求項１】
透明なシートの表面に設けた複数の透明なポケット部と、
前記複数の透明なポケット部のうちの一部のポケット部に対応する領域内において、前記透明なシートの表面又は裏面に設けた印刷面と、
前記透明なシートの裏面の少なくとも上部の左右付近を含む領域に設けた粘着層と、
該粘着層の裏面に剥離可能に設けた剥離シートを備えている
掲示物収納袋。
【請求項２】
透明なシートの表面に設けた複数の透明なポケット部と、
前記透明なシートの裏面、かつ、少なくとも前記透明なシートの周囲の近傍に設けた強粘着層と、
該強粘着層の裏面に設けられ、少なくとも前記強粘着層の外縁より内側の領域全部を覆う仕切シートと、
前記複数の透明なポケット部のうちの一部のポケット部に対応する領域内において、前記仕切シートの表面に設けた印刷面と、
前記仕切シートの裏面の少なくとも上部の左右付近を含む領域に設けた粘着層と、
該粘着層の裏面に剥離可能に設けた剥離シートを備えている
掲示物収納袋。
【請求項３】
前記粘着層は、再剥離糊を積層して形成されていることを特徴とする
請求項１又は２に記載の掲示物収納袋。
【請求項４】
前記剥離シートは、上下又は左右に分割されていることを特徴とする
請求項１ないし３のいずれかに記載の掲示物収納袋。
【考案の詳細な説明】
【技術分野】
【０００１】
本考案は、透明な合成樹脂製のシート材からなり、挿入部の開口から写真、絵、カレンダー等、シート状の掲示物を挿入して用いる掲示物収納袋に関するものである。
【背景技術】
【０００２】
シート状の掲示物を袋に収納した状態で、壁面や家具、窓等の平坦面に貼り付けて、袋の外から袋内に収納した掲示物が見えるように掲示することができる掲示物収納袋が提案されている。
【０００３】
例えば、特許文献１（特開２０１０−８５８５０号公報）には、重ねられたシートの三辺がシールされ、残りの一辺に掲示物（１）を挿入するための掲示物挿入口（４）が形成された袋（２）の表面側に掲示物（１）が透視できる透明部が形成され、袋（２）の裏面側に強粘着糊層（５）が貼着され、この強粘着糊層（５）に表面が凹凸処理された仕切シート（６）を介して球状粘着材を使用した再剥離糊層（７）が貼着され、この再剥離糊層（７）に剥離シート（８）が積層されている掲示物収納袋が記載されている。
また、特許文献２（特開２０１３−４０９８９号公報）には、特許文献１記載の構成に加え、袋（２）の裏面側のシートに商品説明等の印刷面を形成した掲示物収納袋が記載されている。
【０００４】
しかし、これらの掲示物収納袋は、袋（２）を１つしか設けていないため、その１つの袋に１枚若しくは複数枚のシート状掲示物を挿入して用いる以外に使い途がなかった。
また、特許文献２には商品説明等の印刷面を形成してあるが、その表示は単なる掲示物収納袋の使用方法や注意事項等に関するものである上に、１つしかない袋（２）の裏面側に印刷してあるため、袋（２）にシート状掲示物を挿入すると、その印刷面は見えなくなってしまう。
そのため、これらの掲示物収納袋は、使用する際のバリエーションに乏しく、付加価値が低いという問題点があった。
【先行技術文献】
【特許文献】
【０００５】
【特許文献１】特開２０１０−８５８５０号公報
【特許文献２】特開２０１３−４０９８９号公報
【考案の概要】
【考案が解決しようとする課題】
【０００６】
本考案の課題は、掲示物収納袋をバリエーションに富んだ使い方ができるようにすること、及び掲示物収納袋の付加価値を高めることである。
【課題を解決するための手段】
【０００７】
請求項１に係る考案の掲示物収納袋は、透明なシートの表面に設けた複数の透明なポケット部と、複数の透明なポケット部のうちの一部のポケット部に対応する領域内において、透明なシートの表面又は裏面に設けた印刷面と、透明なシートの裏面の少なくとも上部の左右付近を含む領域に設けた粘着層と、粘着層の裏面に剥離可能に設けた剥離シートを備えていることを特徴とする。
【０００８】
請求項２に係る考案の掲示物収納袋は、透明なシートの表面に設けた複数の透明なポケット部と、透明なシートの裏面、かつ、少なくとも透明なシートの周囲の近傍に設けた強粘着層と、強粘着層の裏面に設けられ、少なくとも強粘着層の外縁より内側の領域全部を覆う仕切シートと、複数の透明なポケット部のうちの一部のポケット部に対応する領域内において、仕切シートの表面に設けた印刷面と、仕切シートの裏面の少なくとも上部の左右付近を含む領域に設けた粘着層と、粘着層の裏面に剥離可能に設けた剥離シートを備えていることを特徴とする。
【０００９】
請求項３に係る考案の掲示物収納袋は、請求項１又は２に記載の掲示物収納袋において、粘着層が再剥離糊を積層して形成されていることを特徴とする。
【００１０】
請求項４に係る考案の掲示物収納袋は、請求項１ないし３のいずれかに記載の掲示物収納袋において、剥離シートが上下又は左右に分割されていることを特徴とする。
【考案の効果】
【００１１】
請求項１に係る考案によれば、透明なシートの表面に上下又は左右に並べて設けた複数の透明なポケット部と、複数の透明なポケット部のうちの一部のポケット部に対応する領域内において、透明なシートの表面又は裏面に設けた印刷面を備えているので、複数の透明なポケット部の全てにシート状の掲示物を挿入して用いる態様、印刷面が設けてある一部のポケット部以外のポケット部にシート状の掲示物を挿入して用いる態様、ポケット部に何も入れないで用いる態様のいずれかを、利用者が適宜選択できる。
例えば、印刷面を年間カレンダーの表示とした場合には、その年間カレンダーが有効である間は、その印刷面が設けてあるポケット部には何も挿入せずに利用し、その年間カレンダーが無用となった後には、そのポケット部にもシート状の掲示物を挿入して用いるという使い方ができる。
さらに、年間カレンダーとともに広告を表示すれば、その広告主は少なくとも１年間はその広告を見てもらえる可能性を感じるので、ノベルティ商品としての価値が高まる。
また、剥離層を剥がして、壁面や家具、窓等の平坦面に貼り付けるだけで、印刷されたカレンダーや広告、ポケット部に挿入したシート状の掲示物等を見やすく掲示できるので、購入意欲やノベルティとしての採用意欲をかき立てることができる。
【００１２】
請求項２に係る考案によれば、請求項１に係る考案による効果に加え、仕切シートの表面に印刷面が設けてあるので、透明なシート及び複数の透明なポケット部には全く改変を加えることなく、仕切シートのみの表示を変更するだけで、様々なニーズに応じた印刷面を備える掲示物収納袋を製作できる。
また、異なる内容の印刷面１３を形成した複数種類の仕切シートを作成しておき、それらを組み合わせて強粘着層１２の裏面を覆えば、多様な組み合わせの印刷面を備える掲示物収納袋を製作できる。
さらに、仕切シートにより挿入した掲示物の見映えを良くすることもできる。特に、仕切シートのポケット部に対応する領域の周囲に縁取り線や模様を印刷し、掲示物が透視できる部分を適宜の形状とした場合、その効果は顕著となる。
【００１３】
請求項３に係る考案によれば、請求項１又は２に係る考案による効果に加え、粘着層が再剥離糊を積層して形成されているので、一旦掲示物収納袋を壁面や家具、窓等の平坦面に貼り付けた後に、粘着層を貼着面に残すことなく容易に剥がせて好みの場所に貼り替えることができるという効果がある。
また、粘着力がそれほど強くないので、ふすまや障子等に貼り付けても剥がすときに貼着面を損傷することがないという効果もある。
【００１４】
請求項４に係る考案によれば、請求項１ないし３のいずれかに係る考案による効果に加え、剥離層が上下又は左右に分割されているので、粘着面から剥離層を剥がすときに、その分割されている部分に沿って掲示物収納袋を軽く曲げると、分割されている部分に近い剥離層がはがれ、粘着層から剥離層を容易に取り除くことができる。
【図面の簡単な説明】
【００１５】
【図１】掲示物収納袋１、１１の正面図。
【図２】実施例１及び２の中央部付近における上下方向の断面図。
【図３】剥離シート１０、１６の剥離方法を示す図。
【考案を実施するための形態】
【００１６】
以下、実施例によって本考案の実施形態を説明する。
【実施例１】
【００１７】
実施例１の平面図を図１に、中央部付近における上下方向の断面図を図２（１）に示す。
【００１８】
実施例１の掲示物収納袋１は、図１に示すように、長方形の透明なシート２の表面に上下２段に形成した透明なポケット部３を有している。
これらの透明なシート２及びポケット部３の製造方法は次のとおりである。
（１）厚さが６０μｍのＯＰＰと６０μｍのＣＰＰを積層したラミネートフィルムを、ＣＰＰどうしが向かい合うように重ねる。
（２）左右の側辺４及び底辺５となる部分を溶断機で溶着するとともにカットする。
（３）上段ポケット部３の底辺６となる部分を高周波シールにより形成する。
そうすると、溶着及び高周波シールがされていない表面側のラミネートフィルムの上端が開口部７となり、上下２段のポケット部３ができる。
【００１９】
透明なシート２の裏面には図２（１）に示すように、上段ポケット部３に対応する領域内において、印刷面８が形成されており、上段ポケット部３の表面側からみると、図１に示すように年間カレンダーの表示となる。
そして、透明なシート２及び印刷面８の裏面には、各辺から３ｍｍ程度の領域を除く全面に再剥離糊を積層した透明な粘着層９が設けられ、粘着層９の裏面には剥離シート１０が貼り付けられている。
【００２０】
再剥離糊は、１〜２５０μｍの平均粒径を有する粒状アクリル系重合体を主成分とする再剥離性粘着組成物を使用することができる。
粘着層９により、ガラス、金属、木、タイル、陶磁器、樹脂、紙等の平面あるいは曲面に貼着できるとともに、剥離後には貼着面を汚すことがなく、繰り返し貼着・剥離することができる。
また、貼着面がふすま、障子等のような強度のない紙であっても、紙を破ることなく掲示物収納袋１を貼着面から剥離することができる。
【００２１】
剥離シート１０は左右２枚に分割されており、図３に示すように掲示物収納袋１を左右方向に曲げると中央部が剥がれるので、その剥がれた部分をつまんで引っ張れば容易に取り除かれ、粘着層９を露出させることができる。
そして、粘着層９を露出させた後に、開口部７が上になるように、壁面や家具、窓等の平坦面に貼り付けて用いる。
【実施例２】
【００２２】
以下の説明において、実施例１と変わっていない箇所については、実施例１と同じ番号を用いる。
実施例２の掲示物収納袋１１の正面図は実施例１と同じ図１であり、中央部付近における上下方向の断面図は図２（２）である。
そして、長方形の透明なシート２の表面に上下２段に形成した透明なポケット部３を有している点及びその製造方法は、実施例１と同じである。
【００２３】
実施例１との違いは、透明なシート２の裏面側の構成にあり、図２（２）に示すように、透明なシート１の裏面には各辺から３ｍｍ程度の領域を除く全面に強粘着糊を積層した透明な強粘着層１２が設けられ、強粘着層１２の裏面に１枚の仕切シート１４が貼り付けられ、仕切シート１４の裏面に再剥離糊を積層した透明な粘着層１５が設けられ、粘着層１５の裏面に剥離シート１６が貼り付けられている。
【００２４】
強粘着糊には、強い粘着強度を有するアクリル系共重合体を主成分とする粘着組成物を使用することができる。
また、再剥離糊及び剥離シート１６は、実施例１と同じなので、説明は省略する。
【００２５】
仕切シート１４には、紙あるいは樹脂フィルムを使用する。仕切シート１４の表面及び裏面は、強粘着層１２及び粘着層１５との接着性を向上させるため微細な凹凸のある粗面とする。
表面及び裏面が平滑面でない紙の場合そのまま使用できるが、樹脂フィルムの場合はコロナ放電等の表面処理により微細な凹凸を形成したものを使用する。
このような仕切シート１４を使用することにより、利用中の掲示物収納袋１１を貼着面から剥離する際に、粘着層１５が仕切シート１４から分離することなく、掲示物収納袋１１に粘着層１５が付いた状態で剥離できる。
また、仕切シート１４の表面には図２（２）に示すように、上段ポケット部３に対応する領域内において、印刷面１３が形成されており、上段ポケット部３の表面側からみると、図１に示すように年間カレンダーの表示となる。
なお、掲示物収納袋１１を利用する際の使用方法は実施例１と同じなので、説明は省略する。
【００２６】
実施例１及び２の変形例を列記する。
（１）実施例１、２の掲示物収納袋１、１１は、長方形の透明なシート２の表面に上下２段に形成した透明なポケット部３を有しているが、透明なシート２の形状は長方形に限らず、正方形、菱形、円形、ハート形等、どのような形状でも良い。
また、ポケット部３の形成位置及び数は上下２段に限らず、上下３段、左右２列、左右３列等、複数のポケット部３が適宜の配列で設けてあれば良い。
さらに、ポケット部３の形状も長方形、正方形、五角形、半円形、ハート形等、どのような形状であっても良いが、複雑な形状の場合、開口部７となる部分以外に高周波シールを施してポケット部３を形成することとなる。
（２）実施例１、２のポケット部３は全面が透明であるが、各ポケット部の表面又は裏面の周囲に縁取り線や模様を印刷し、掲示物が透視できる部分を適宜の形状としても良い。
（３）実施例１、２のポケット部３の内側には何も入れていないが、周囲に縁取り線や模様を印刷したポケット部３より少し小さい台紙を作成し、印刷面８、１３を形成していないポケット部３に台紙を挿入して、掲示物の見映えが良くなるようにしても良い。
（４）実施例１、２の印刷面８、１３は、年間カレンダーの表示としているが、年間カレンダーに限らず、月間カレンダー、地図、名画、金言、イベント案内、広告等、どのような内容のものであっても良く、それらを複数組み合わせた内容のものであっても良い。
また、ポケット部３を３つ以上有している場合には、連続する２つのポケット部３にまたがって印刷面８、１３を形成しても良く、２つのポケット部３に、それぞれ異なる内容の印刷面８、１３を形成しても良い。
（５）実施例１においては、透明なシート２の裏面に印刷面８が形成されているが、透明なシート２の表面に印刷面８を形成しても良い。
なお、印刷面８を表面に形成する場合、シート２は透明でなくても良い。
（６）実施例１の透明なシート２には、上段ポケット部３に対応する領域内のみにおいて印刷面８が形成されているが、下段ポケット部３に対応する領域の周囲に縁取り線や模様を印刷して、掲示物の見映えが良くなるようにしても良い。
（７）実施例１、２の粘着層９、１５は、再剥離糊を積層したものとなっているが、再剥離糊に限らず、固化したときに透明であれば通常の粘着糊であっても良い。
（８）実施例１、２の粘着層９、１５は、透明なシート１の各辺から３ｍｍ程度の領域を除く全面に設けられているが、少なくとも透明なシート１の上部の左右付近を含む領域に設けてあれば、掲示物収納袋１、１１を平坦面に貼り付けた時に落下したり、上部がめくれたりすることはない。
（９）実施例２の強粘着層１２は、透明なシート１の各辺から３ｍｍ程度の領域を除く全面に強粘着糊を積層したものとなっているが、少なくとも透明なシートの周囲の近傍に強粘着糊を積層したものであれば良い。
（１０）実施例２の仕切シート１４の表面には、上段ポケット部３に対応する領域内のみにおいて印刷面１３が形成されているが、下段ポケット部３に対応する領域の周囲に縁取り線や模様を印刷して、掲示物の見映えが良くなるようにしても良い。
（１１）実施例２の強粘着層１２の裏面には１枚の仕切シート１４が貼り付けられているが、複数枚の仕切シートによって強粘着層１２の裏面を覆うようにしても良い。
その場合、異なる内容の印刷面１３を形成した複数種類の仕切シートを作成しておき、それらを組み合わせて強粘着層１２の裏面を覆えば、多様な組み合わせの表示内容を備えた掲示物収納袋１１を容易に製造することができる。
（１２）実施例１、２の剥離シート１０、１６は、左右２枚に分割されたものとなっているが、１枚であっても良く、左右３枚、上下２枚又は上下３枚に分割されたものであっても良い。
また、分割する場合、分割線は図３のような直線状に限らず、ジグザグ状又は波線状としても良い。
【符号の説明】
【００２７】
１、１１  掲示物収納袋      ２  透明なシート      ３  透明なポケット部
４  左右の側辺      ５、６  底辺      ７  開口部      ８、１３  印刷面
９、１５  粘着層      １０、１６  剥離シート      １２  強粘着層
１４  仕切シート
【図１】
0003185145.tif 000003
【図２】
0003185145.tif 000004
【図３】
0003185145.tif 000005